(57)【要約】【課題】  外部記憶手段に制御プログラムを格納する構成においても、高速に演算処理できる車両用表示装置を提供する。【解決手段】  第１の制御プログラムＡと、第１の制御プログラムＡよりも処理頻度の高いまたは処理負荷の高い第２の制御プログラムＢと、を格納する外部記憶手段１と、車両情報を入力し、第１，第２の制御プログラムＡ，Ｂに基づいて情報を表示するための演算処理を行い、制御信号を生成する制御手段２と、制御手段２からの前記制御信号に基づいて表示出力する表示手段３とを備えた車両用表示装置であって、制御手段２は、内部記憶手段として、揮発性の第１の記憶部２１と、この第１の記憶部２１よりも小容量かつ高速に動作可能な揮発性の第２の記憶部２２とを設けてなる。【選択図】  図１
2011121481.tif 000002
【特許請求の範囲】
【請求項１】
第１の制御プログラムと、前記第１の制御プログラムよりも処理頻度の高いまたは処理負荷の高い第２の制御プログラム（少なくとも描画演算プログラム）と、を格納する外部記憶手段と、
車両情報を入力し、前記第１，第２の制御プログラムに基づいて情報を表示するための演算処理を行い、制御信号を生成する制御手段と、
前記制御手段からの前記制御信号に基づいて表示出力する表示手段と
を備えた車両用表示装置であって、
前記制御手段は、内部記憶手段として、揮発性の第１の記憶部と、この第１の記憶部よりも小容量かつ高速に動作可能な揮発性の第２の記憶部とを設けてなり、
システム起動時に前記第１の制御プログラムを前記第１の記憶部に格納し、前記第２の制御プログラムを前記第２の記憶部に格納し、これら第１、第２の記憶部に格納された第１，第２の制御プログラムに基づいて前記演算処理を行うことを特徴とする車両用表示装置。
【請求項２】
前記外部記憶手段は、前記表示手段が表示するための画像データを格納してなり、
前記第１の記憶部には、前記外部記憶手段に格納された前記画像データをコピーして格納する作業領域を有することを特徴とする請求項１に記載の車両用表示装置。
【請求項３】
前記制御手段は、前記作業領域に格納された前記画像データを前記第１の記憶部内で解凍しながら展開処理して前記制御手段を生成してなることを特徴とする請求項２に記載の車両用表示装置。
【発明の詳細な説明】
【技術分野】
【０００１】
本発明は、車両情報を表示する車両用表示装置に関し、例えば、表示パネルに画像を表示させるための描画処理を行う車両用表示装置に好適である。
【背景技術】
【０００２】
従来、自動車等の車両に搭載される車両用表示装置は、マイクロコンピュータ等の制御手段などを搭載し、限られた筐体で多くの機能を実現可能にしている。また、マイクロコンピュータの制御プログラムや制御データを格納するメモリとして、電気的に書き換え可能なＥＥＰＲＯＭやフラッシュＲＯＭなどが使用される場合があり、例えば、特許文献１に開示される。
【０００３】
これらの車両用表示装置は、制御プログラムや制御データの少なくとも一部をこのような電気的書き換え可能な不揮発性半導体メモリに格納しておくことによって、メモリを取り外さなくても制御プログラムや制御データをバージョンアップするなど、格納されている情報を書き換えることができる。
【先行技術文献】
【特許文献】
【０００４】
【特許文献１】特開２００２−４６５５６号公報
【発明の概要】
【発明が解決しようとする課題】
【０００５】
これらの車両用表示装置にあっては、外部記憶手段である不揮発性半導体メモリに制御プログラムを格納しているため、描画処理などの負荷の高い演算を行うのにあっては、処理速度が遅くなってしまうといった問題があった。
【０００６】
そこで本発明の目的とするところは、上述した課題に着目してなされたものであって、外部記憶手段に制御プログラムを格納する構成においても、高速に演算処理できる車両用表示装置を提供することにある。
【課題を解決するための手段】
【０００７】
本発明の車両用表示装置は、第１の制御プログラムと、前記第１の制御プログラムよりも処理頻度の高いまたは処理負荷の高い第２の制御プログラム（少なくとも描画演算プログラム）と、を格納する外部記憶手段と、車両情報を入力し、前記第１，第２の制御プログラムに基づいて情報を表示するための演算処理を行い、制御信号を生成する制御手段と、前記制御手段からの前記制御信号に基づいて表示出力する表示手段とを備えた車両用表示装置であって、前記制御手段は、内部記憶手段として、揮発性の第１の記憶部と、この第１の記憶部よりも小容量かつ高速に動作可能な揮発性の第２の記憶部とを設けてなり、システム起動時に前記第１の制御プログラムを前記第１の記憶部に格納し、前記第２の制御プログラムを前記第２の記憶部に格納し、これら第１、第２の記憶部に格納された第１，第２の制御プログラムに基づいて前記演算処理を行うことを特徴とする。
【０００８】
また、前記外部記憶手段は、前記表示手段が表示するための画像データを格納してなり、前記第１の記憶部には、前記外部記憶手段に格納された前記画像データをコピーして格納する作業領域を有することを特徴とする。
【０００９】
また、前記制御手段は、前記作業領域に格納された前記画像データを前記第１の記憶部内で解凍しながら展開処理して前記制御手段を生成してなることを特徴とする。
【発明の効果】
【００１０】
本発明は、車両情報を表示する車両用表示装置に関し、外部記憶手段に制御プログラムを格納する構成においても、高速に演算処理できる。
【図面の簡単な説明】
【００１１】
【図１】本発明の実施の形態の構成を示すブロック図。
【発明を実施するための形態】
【００１２】
以下、本発明が適用された実施の形態について添付図面を用いて説明する。
【００１３】
本発明の車両用表示装置を車両に搭載される車両用計器に適用したものを例に挙げて説明する。車両用計器は、図１に示すように、外部記憶手段１と、制御手段２と、表示手段３とを備えている。
【００１４】
外部記憶手段１は、ＥＥＰＲＯＭやフラッシュメモリなどの不揮発性半導体メモリを適用でき、警報状態の判定や計測値演算を行うための第１の制御プログラムＡや、第１の制御プログラムＡよりも処理負荷が高く、後述する表示手段３の表示パネルによって画像表示するための描画処理を行う際に用いられる描画用プログラムや、第１の制御プログラムＡよりも処理頻度が高いメモリコピーなどの汎用関数処理プログラムを含む第２の制御プログラムＢ、描画処理の画像データＣなどが不揮発に格納されている。
【００１５】
制御手段２は、例えば、マイクロコンピュータを適用でき、車両に搭載された各種センサからの情報を入力し、各種演算処理を行うことによって、表示手段３を制御するための制御信号を生成し出力する。また、制御手段２は、揮発性の第１の記憶部２１と、第１の記憶部２１よりも小容量かつ高速に動作可能な揮発性の第２の記憶部２２とを設けている。この場合、第１の記憶部２１にＳＤＲＡＭ（Ｓｙｎｃｈｒｏｎｏｕｓ  Ｄｙｎａｍｉｃ  ＲＡＭ）、第２の記憶部２２にＳＲＡＭ（Ｓｔａｔｉｃ  ＲＡＭ）が用いており、比較的安価で大容量のメモリと更に高速処理可能なメモリとを使い分けできる。
【００１６】
また、制御手段２は、例えば、車両のイグニションスイッチがオンされて車両用計器のシステム起動時、外部記憶手段１に格納された第１の制御プログラムＡおよび初期に使用する画像データＣを読み出して第１の記憶部２１にコピーして格納し、外部記憶手段１に格納された第２の制御プログラムＢを読み出して第２の記憶部２２にコピーして格納する。制御手段２は、入力した車両情報や、これら第１，第２の記憶部２１，２２にコピーして格納された第１，第２の制御プログラムＡ１，Ｂ１に基づいて、前記制御信号を生成するための演算処理を行う。
【００１７】
表示手段３は、例えば、液晶または有機ＥＬを用いた表示パネルを適用でき、制御手段２からの制御信号に基づいて表示出力できる。この場合、表示手段３は、画像情報によって車両走行距離や警報状態など車両情報を表示出力できる。
【００１８】
上述した構成によって、制御手段２は、少なくとも外部記憶手段１に格納された第１，第２の制御プログラムＡ，Ｂを、起動時にアクセスして読み出すだけで、その後、外部記憶手段１よりもアクセス時間が短い第１，第２の記憶部２１，２２に格納された第１，第２の制御プログラムＡ１，Ｂ１を演算処理に使用するため、外部記憶手段１と制御手段２とのアクセス回数やアクセス時間を低減できる。従って、制御手段２は、外部回路とのアクセス（データのやり取り）よりも高速な内部回路内で処理でき、速い速度にて演算処理を行うことができる。特に、画像データのビットブリットを含む描画処理など負荷が大きく、処理頻度の高い第２の制御プログラムＢにおいては、第２の記憶部２２にコピーして格納した第２の制御プログラムＢ１を使用することで高速処理することができる構成となる。
【００１９】
また、第２の制御プログラムＢと比較して、処理頻度が少ない第１の制御プログラムＡや画像データＣについても、内部回路上の第１の記憶部２１にコピーしたものを一端格納することによって、アクセス時間を含む演算処理の迅速化を図ることができる。
【００２０】
特に、画像データＣがデータ圧縮されている場合、制御手段２は、表示出力するために使用する画像データが確定される度に、対象の画像データＣを外部記憶手段１から第１の記憶部２１にコピーして一次的に格納してから解凍処理を行うことによって、内部回路上で、画像データＣ１を分割しながら展開できるため、直接外部記憶手段１内の画像データＣを解凍処理するよりも高速処理できる。特に、大容量の画像データを描画処理する場合には、解凍やビットブリット時の読み出し回数（アクセス回数）が多くなるため効果的である。
【００２１】
斯かる車両用表示装置は、第１の制御プログラムＡと、第１の制御プログラムＡよりも処理頻度の高いまたは処理負荷の高い第２の制御プログラムＢと、を格納する外部記憶手段１と、車両情報を入力し、第１，第２の制御プログラムＡ，Ｂに基づいて情報を表示するための演算処理を行い、制御信号を生成する制御手段２と、制御手段２からの前記制御信号に基づいて表示出力する表示手段３とを備えた車両用表示装置であって、制御手段２は、内部記憶手段として、揮発性の第１の記憶部２１と、この第１の記憶部２１よりも小容量かつ高速に動作可能な揮発性の第２の記憶部２２とを設けてなり、システム起動時に第１の制御プログラムＡを第１の記憶部２１に格納し、第２の制御プログラムＢを第２の記憶部２２に格納し、これら第１、第２の記憶部２１，２２に格納された第１，第２の制御プログラムＡ１，Ｂ１に基づいて前記演算処理を行う。
【００２２】
従って、外部記憶手段１に制御プログラムＡ，Ｂを格納する構成においても、外部記憶手段１と制御手段２間における情報アクセス回数を低減でき、また、これら制御プログラムＡ，Ｂを内部回路上の記憶部に置いて代替することで、高速に演算処理できる。また、演算に使用する制御プログラムについて車両が起動する際（車両計器がシステム起動する際）にアクセスしてコピーしてしまうことによって、以降の車両利用時において、迅速に車両情報を表示出力できる。
【００２３】
また、外部記憶手段１は、表示手段３が表示するための画像データＣを格納してなり、第１の記憶部２１には、外部記憶手段１に格納された画像データＣをコピーして格納する作業領域を有することで、描画演算処理時に画像データＣ１に高速アクセスすることができ、処理時間を短縮できる。
【００２４】
また、制御手段２は、前記作業領域に格納された画像データＣ１を第１の記憶部２１内で解凍しながら展開処理して制御手段２を生成してなることによって、外部記憶手段１とのアクセス回数を低減して、描画演算処理できるため処理時間を短縮できる。
【００２５】
なお、本発明の車両用表示装置を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。
【産業上の利用可能性】
【００２６】
本発明は、例えば、自動車、オートバイ、あるいは農業機械や建設機械を備えた移動体に搭載される車両用表示装置として適用できる。
【符号の説明】
【００２７】
１  外部記憶手段
２  制御手段
３  表示手段
【図１】
2011121481.tif 000003